(57)【要約】本願は、ゴーグルフレーム（２０１）と該ゴーグルフレーム（２０１）に取り付けられた保護レンズ（２０２）とを含むゴーグル（２００）と、ゴーグル（２００）に着脱可能に連結されたフェイスマスク（３００）と、ゴーグルフレーム（２０１）及びフェイスマスク（３００）の両横側部間に設けられ、ゴーグルフレーム（２０１）の横方向と略平行な回動軸を含む、分離可能なピボット連結構造と、ゴーグルフレーム（２１０）とフェイスマスク（３００）との間に設けられ、分離可能なピボット連結構造と協働してゴーグルフレーム（２１０）とフェイスマスク（３００）とを選択的に係止させるように構成された、分離可能な係止構造と、を含む、装置（１００、１０００）を開示する。【選択図】図１
2021516591.tif 000002
【特許請求の範囲】
【請求項１】
ゴーグルフレーム（２０１）と該ゴーグルフレーム（２０１）に取り付けられた保護レンズ（２０２）とを含むゴーグル（２００）と、
前記ゴーグル（２００）に着脱可能に連結されたフェイスマスク（３００）と、
前記ゴーグルフレーム（２０１）及び前記フェイスマスク（３００）の両横側部間に設けられ、前記ゴーグルフレーム（２０１）の横方向と略平行な回動軸を含む、分離可能なピボット連結構造と、
前記ゴーグルフレーム（２１０）と前記フェイスマスク（３００）との間に設けられ、前記分離可能なピボット連結構造と協働して前記ゴーグルフレーム（２１０）と前記フェイスマスク（３００）とを選択的に係止させるように構成された、分離可能な係止構造と、を含む、装置（１００、１０００）。
【請求項２】
前記分離可能なピボット連結構造が、
前記ゴーグルフレーム（２０１）の両横側部に形成された受け具（２０５）と、
前記フェイスマスク（３００）の両横側部に形成され、前記受け具（２０５）に対して相対的に回動可能なように前記受け具（２０５）に着脱可能に受け入れられるように構成された回動部（３０２）と、を含む、請求項１に記載の装置（１００、１０００）。
【請求項３】
前記分離可能な係止構造が、
前記ゴーグル（２００）に形成されたねじ穴（２０６）と、
前記フェイスマスク（３００）に着脱可能に連結され、前記ねじ穴（２０６）に螺合されるように構成された締結ボルト（４００）と、を含む、請求項２に記載の装置（１００、１０００）。
【請求項４】
前記受け具（２０５）の断面が略Ｃ字形状であり、
前記回動部（３０２）が、前記Ｃ字形状における切込みに弾性変形によって挿入されるように構成されたピン状に構成された、請求項２に記載の装置（１００、１０００）。
【請求項５】
前記受け具（２０５）が、前記受け具（２０５）が前記ねじ穴（２０６）に螺合されることに基づいて、前記フェイスマスク（３００）から外れることが可能なように構成された、請求項３に記載の装置（１００、１０００）。
【請求項６】
前記分離可能な係止構造が、前記フェイスマスク（３００）に回動自在に連結された着脱可能なスナップ篏合部品（５００）と、前記ゴーグル（２００）に形成された突起（２２０）とを含み、
前記スナップ篏合部品（５００）が、前記ゴーグル（２００）と前記フェイスマスク（３００）とが互いに係止されるように、回動により前記突起（２００）に連結されるように構成された、請求項２に記載の装置（１００、１０００）。
【請求項７】
前記保護レンズ（２０２）が、自動遮光フィルタを含む、請求項３、５、および６のうちのいずれか一項に記載の装置（１００、１０００）。
【請求項８】
前記分離可能なピボット連結構造が、
前記フェイスマスク（３００）の両横側部に形成された受け具と、
前記ゴーグル（２０１）の両横側部に形成され、前記受け具（２０５）に対して相対的に回動可能なように前記受け具（２０５）に着脱可能に受け入れられるように構成された回動部（３０２）と、を含む、請求項１に記載の装置（１００、１０００）。
【請求項９】
前記Ｃ字形状における開口部が、上向きまたは斜め上向きに形成された、請求項４に記載の装置（１００、１０００）。
【請求項１０】
第１の接触壁（２１０）が、前記ゴーグルフレーム（２０１）の下側に形成され、
前記ねじ穴（２０６）が、前記第１の接触壁（２１０）に形成され、
前記フェイスマスク（３００）が、貫通穴（３０５）を有する第２の接触壁（３０３）を含み、
前記締結ボルト（４００）が、前記ゴーグルフレーム（２０１）を前記フェイスマスク（３００）に対して相対的に回動させると前記第１の接触壁（２１０）が前記第２の接触壁（３０３）に接近するように、前記貫通穴に挿入可能である、請求項５に記載の装置（１００、１０００）。
【発明の詳細な説明】
【技術分野】
【０００１】
本願は、一般に、ゴーグルとフェイスマスクとを含む装置、特に、溶接用の装置に関する。
【背景技術】
【０００２】
ゴーグルは、目を保護するために様々な応用分野において広く使用されている。例えば、溶接現場では、溶接作業中に有害な光線や飛沫から作業者の目を保護するために、自動遮光フィルタを備えたゴーグルが用いられ得る。また、例えば、作業現場に有害ガスが存在する場合は、作業者の目を損傷から守るために、透明なゴーグルが用いられ得る。
【０００３】
目に加えて、作業者の顔面を保護することが必要な場合もある。しかしながら、特殊な作業現場においては、作業者が保護ヘルメットを装備するのは非常に面倒なことがある。
【発明の概要】
【発明が解決しようとする課題】
【０００４】
本願は、ゴーグルとフェイスマスクとを含む装置であって、ゴーグルを単独で装着および使用することができ、所望の場合には、使用者の顔面を保護できるようにゴーグルにフェイスマスクを確実且つ便利に組み付けることができるようになっている装置を提案することを目的とする。
【課題を解決するための手段】
【０００５】
本願の一態様によると、ゴーグルとフェイスマスクとを含む装置であって、
ゴーグルフレームと該ゴーグルフレームに取り付けられた保護レンズとを有するゴーグルと、
ゴーグルに着脱可能に連結されたフェイスマスクと、を含み、
分離可能なピボット連結構造が、ゴーグルフレームの両横側部とフェイスマスクの両横側部との間に設けられ、ゴーグルフレームの横方向と略平行な回動軸を有し、分離可能な係止構造が、ゴーグルフレームとフェイスマスクとの間に設けられ、上記分離可能なピボット連結構造と協働してゴーグルフレームとフェイスマスクとを選択的に係止させる、装置が提供される。
【０００６】
上記分離可能なピボット連結構造が、ゴーグルフレームの両横側部に形成された受け具と、フェイスマスクの両横側部に形成された回動部とを含み、回動部は、受け具に対して相対的に回動可能なように受け具に着脱可能に受け入れ可能となっていてもよい。
【０００７】
上記分離可能な係止構造が、フェイスマスクに着脱可能に連結された締結ボルトと、ゴーグルに形成されたねじ穴とを含み、締結ボルトがねじ穴に螺合可能となっていてもよい。
【０００８】
上記受け具が、略Ｃ字状の断面形状を有し、上記回動部が、該Ｃ字形状における切込みに弾性変形によって挿入可能であるように、概ねピン状に構成されていてもよい。
【０００９】
上記受け具が、ねじ穴に螺合されていない場合にフェイスマスクから外れないように、離脱防止されるように設計されていてもよい。
【００１０】
上記分離可能な係止構造が、フェイスマスクに回動自在に連結された着脱可能なスナップ篏合部品と、ゴーグルに形成された突起とを含み、当該スナップ篏合は、ゴーグルとフェイスマスクとが互いに係止されるように、回動により突起にスナップ篏合可能であってもよい。
【００１１】
上記保護レンズが、自動遮光フィルタを含んでいてもよい。
【００１２】
上記分離可能なピボット連結構造が、フェイスマスクの両横側部に形成された受け具と、ゴーグルの両横側部に形成された回動部とを含み、回動部は、受け具に対して相対的に回動可能なように受け具に着脱可能に受け入れ可能となっていてもよい。
【００１３】
上記Ｃ字形状における開口部が、上向きまたは斜め上向きに形成されていてもよい。
【００１４】
第１の接触壁が、上記ゴーグルフレームの下側に形成され、上記ねじ穴が、該第１の接触壁に形成され、上記フェイスマスクが、貫通穴が形成された第２の接触壁を有し、上記締結ボルトが、ゴーグルフレームをフェイスマスクに対して相対的に回動させているときに第１の接触壁が第２の接触壁に接近可能であるように、貫通穴に挿入可能であってもよい。
【００１５】
本願の装置は、溶接現場において使用者が便利且つ柔軟に使用することができる。例えば、フェイスマスクを装着する必要がない場合は、ゴーグルのみを使用者の頭部に装着することができる。使用者の顔面全体を保護する必要がある場合は、フェイスマスクのゴーグルへの連結が迅速且つ確実に行われる。
【図面の簡単な説明】
【００１６】
本願の上記およびその他の態様は、以下の説明を添付の図面と併せて読むことによってよく理解されるであろう。図面は異なる比率で表示されている場合もあるが、本願の理解に影響を及ぼすものではないことを理解されたい。図面において、
図１は、本願に係る、ゴーグルとフェイスマスクとを含む装置の一実施形態を概略的に示す分解図であり、
図２Ａおよび図２Ｂは、図１のゴーグルとフェイスマスクとがどのように組み付けられるかを概略的に示し、
図３は、図１のゴーグルとフェイスマスクとを含む装置を概略的に示す全体図であり、
図４は、図１の装置のフェイスマスクの一部分を概略的に示す断面図であり、
図５は、本願に係る、ゴーグルとフェイスマスクとを含む装置の別の実施形態を概略的に示す分解図であり、
図６は、図５のゴーグルとフェイスマスクとを含む装置の組み付け方法を概略的に示す。
【発明を実施するための形態】
【００１７】
本願の図面において、同様または同一の構成または機能を有する特徴は、それぞれ同じ参照符号で示されている。
【００１８】
図１は、本願の一実施形態に係る、ゴーグルとフェイスマスクとの組み合わせを含む装置１００を概略的に示す分解図である。装置１００は、ゴーグル２００とフェイスマスク３００とを含む。ゴーグル２００は、概ねプラスチック材料からなるゴーグルフレーム２０１を含む。ゴーグルレンズ２０２がゴーグルフレーム２０１に取り付けられる。本願において、ゴーグルレンズ２０２は、自動遮光フィルタまたは透明な保護シートであり得る。ゴーグル２００を装着している使用者の目の周辺組織を保護することができる保護クッション２０３が、ゴーグルフレーム２０１上に設置され得る。保護クッション２０３は、任意の適切な可撓性材料からなり得る。
【００１９】
ゴーグルフレーム２０１の横方向に対向する両側部には、ゴーグル２００を使用者の頭部に容易に固定することができる弾性ベルトの両端に連結するための２つのフック部２０４がそれぞれ形成されている。２つの受け具２０５も、ゴーグルフレーム２０１の横方向に対向する両側部のそれぞれに、ゴーグル２００の正中面に対して対称に配置されるように、形成されている。なお、本願の文脈において、ゴーグル２００（またはフェイスマスク３００）またはそれらの構成要素について用いられる「横（方向に）」という語は、ゴーグル（またはフェイスマスク）を装着している使用者の頭部を基準とした左右方向をいう。図１において、ゴーグルフレーム２０１の点線の円には、右側の受け具２０５を拡大して示している。
【００２０】
本願において、フェイスマスク３００は、半フェイスマスクであり得る。すなわち、このマスクは、使用者の目より下の顔面区域を隠す領域を有する。本願の文脈において、「上」という語は、使用者の身長（または頭高）を基準として定められる方向または向きをいう。例えば、１つの特徴が別の特徴の上にあるとは、使用者の身長（または頭高）に沿って、当該１つの特徴が当該別の特徴よりも高い位置にあることを意味する。「下」という語は、使用者の身長（または頭高）を基準として定められる方向または向きをいう。例えば、１つの特徴が別の特徴の下にあるとは、使用者の身長（または頭高）に沿って、当該１つの特徴が当該別の特徴よりも低い位置にあることを意味する。ゴーグル２００のゴーグルフレーム２０１の下側に接触壁２１０が形成されている。接触壁は、使用者の鼻梁を部分的に受け入れられるように、中央部分がくぼんでいる。
【００２１】
２つの回動部３０２が、フェイスマスク３００の横方向に対向する側部のそれぞれに形成されている。回動部は、フェイスマスク３００の正中面に対して対称である。図１において、フェイスマスク３００の点線の円には、右側の回動部３０２を拡大して示している。回動部３０２は、フェイスマスク３００の内壁から内側に延びるピン状である。本願の文脈において、「内／内側」という語は、一般に、使用者の身体または頭部側を向く方向または向きをいい、「外／外側」という語は、一般に、使用者の身体または頭部とは反対側を向く方向または向きをいう。
【００２２】
接触壁３０３が、フェイスマスク３００の上周縁を部分的に囲んで延びており、各回動部３０２からは離間されている。上記２つの回動部３０２は、接触壁３０３の両端にそれぞれ隣接して位置している。支持壁３０４が、回動部３０２につながるように、接触壁３０３の端からフェイスマスク３００の内壁と略平行に延びている。
【００２３】
接触壁３０３は、ゴーグル２００とフェイスマスク３００とを組み付けた際に接触壁２１０と接触壁３０３とが少なくとも部分的に互いに接触できるように、ゴーグル２００の接触壁２１０に沿う形状となっている。ゴーグル２００の受け具２０５は、ゴーグルフレーム２０１から延出しており、切込みの入った管状である。すなわち、受け具２０５は、Ｃ字形状の断面を有する。特に、当該Ｃ字形状における切込みは、回動部３０２の直径よりもやや小さい寸法を有する。そのため、回動部３０２を受け具２０５に回動自在に受け入れることができるように、当該Ｃ字形状における切込みを拡開変形させることによって、上記切込みの入った管状の受け具２０５に回動部３０２を押し込むことができる。所望の場合には、回動部３０２を受け具から引き抜くことによって、両者を分離させ得る。このようにして、ゴーグル２００の２つの受け具２０５とフェイスマスク３００の回動部３０２とを、上記のように回動自在に係合できるように構成することができ、よって、受け具２０５と２つの回動部３０２のそれぞれとは、分離可能なピボット連結構造を構成する。この分離可能なピボット連結構造は、ゴーグル２００、特にゴーグルフレーム２０１の横方向と略平行な回動軸を有する。代替的な実施形態において、分離可能なピボット連結構造の回動部と受け具とを交換してもよい。例えば、回動部をゴーグル２００に設け、受け具をフェイスマスク３００に設けてもよい。
【００２４】
ゴーグル２００の各受け具２０５のＣ字形状における切込みは、ゴーグル２００のゴーグルレンズ２０２が地面に略垂直であって、回動部３０２が各Ｃ字形状における切込みに挿入されている場合に、フェイスマスク３００が重力によってゴーグル２００から脱落しないように、上向きまたは斜め上向きである。
【００２５】
ゴーグル２００の接触壁２１０には、２つのねじ穴２０６が、接触壁２１０の中央の凹部の両側に対称に位置するように、形成されている。これらに対応して、フェイスマスク３００の接触壁３０３には、２つの貫通穴３０５が、接触壁２１０と接触壁３０３とを互いに位置合わせしたときに、ねじ穴２０６と貫通穴３０５とをそれぞれ互いに位置合わせすることができるように、形成されている。締結ボルト４００を各貫通穴３０５に挿通することができる。
【００２６】
さらに、図４に示すように、締結ボルト４００は軸４１０を含む。例えば、軸４１０は、係止強度を高められるように、金属材料からなり得る。軸４１０は、対応するねじ穴２０６に螺合させることができるように、ねじ部４２０を一端に有して形成されている。軸は、軸４１０を回転させることができる頭部４３０を対向する他端に有して形成されている。ねじ部４２０は、貫通穴３０５の内径ｂよりもやや大きい外径ａを有する。さらに、ねじ部４２０と頭部４３０との間の軸４１０に、径小部４５０が形成されている。径小部４５０は、軸４１０のねじ部４２０を貫通穴３０５に押し込んで通過させると、径小部４５０が貫通穴３０５内に位置し、それによって軸４１０が貫通穴３０５内で自由に回転可能となるように、貫通穴３０５の内径ｂよりもやや小さい直径を有する。したがって、締結ボルト４００は、締結機能を有するだけでなく、離脱防止設計にもなっている。使用者が締結ボルト４００を手動で回転させやすくする操作キャップ４４０を、頭部４３０にプラスチック材料でオーバーモールドしてもよい。所望の場合には、締結ボルト４００の操作キャップ４４０を強く引っ張ることによって、ねじ部４２０を再び貫通穴３０５に押し込んで通過させて、締結ボルト４００をフェイスマスク３００から取り外すことができる。その後、回動部３０２を受け具２０５から引き抜くことによって、装置１００が分解される。
【００２７】
図４に示すように、接触壁３０３の頭部４３０側において、締結時に上記プラスチック材料からなる操作キャップ４４０が当接可能なフランジリング３０６が、貫通穴３０５の周囲に形成されている。
【００２８】
ここで、本願に係る、ゴーグルとフェイスマスクとからなる装置１００の組み付け方法について、図１〜図３を参照しながら以下に説明する。まず、例えば、矢印１で示すようにフェイスマスク３００の回動部３０２をゴーグル２００のＣ字形状の受け具２０５に挿入することによって、ゴーグル２００をフェイスマスク３００に回動自在に連結する。その前後いずれかにおいて、例えば締結ボルト４００を貫通穴３０５に挿入することによって、締結ボルト４００をフェイスマスク３００に着脱可能に取り付けることも可能である。ゴーグル２００の受け具２０５のＣ字形状における切込みが上向きまたは斜め上向きであるため、回動部３０２は、概してフェイスマスク３００の接触壁３０３がゴーグル２００の接触壁２１０から離れるような方法で、ゴーグル２００のＣ字形状の受け具０５に挿入される。次いで、図示するように、フェイスマスク３００を、回動部３０２とＣ字形状の受け具２０５とによって形成されたピボット連結構造の回動軸周りにゴーグル２００に向かって回動させ、図２Ａに示すように、フェイスマスク３００の接触壁３０３がゴーグル２００の接触壁２１０に接近し、互いに接触するようにする。次いで、締結ボルト４００の操作キャップ４４０を回転させることによって、締結ボルト４００のねじ部４２０をゴーグル２００のねじ穴２０６に螺合させ、操作キャップ４４０をフェイスマスク３００の貫通穴３０５に隣接するフランジ３０６に当接させるようにする。最終的に、ねじ締結力により、ゴーグル２００とフェイスマスク３００とを互いに係止させることができる。このようにして、ゴーグルとフェイスマスクとを含む装置１００を適切に組み付けることができる。所望の場合には、締結ボルト４００をゆるめて、回動部３０２をＣ字形状の受け具２０５から取り外すことによって、ゴーグルとフェイスマスクとを含む装置１００を分解することができる。
【００２９】
本願の前述の実施形態では２つの締結ボルト４００とゴーグル２００の２つのねじ穴２０６とが分離可能な係止構造を構成しているが、締結ボルト４００および／またはねじ穴２０６の個数は２つに限定されるものではないことが、当業者には理解されよう。例えば、その代わりに、締結ボルト４００を１つだけ設けて、分離可能な係止構造を構成するようにゴーグル２００の１つのねじ穴２０６に係合させてもよい。代替的な実施形態において、３つ以上の締結ボルト４００を設けてもよく、３つ以上のねじ穴２０６をゴーグル２００に設けてもよい。
【００３０】
図５は、本願の別の実施形態に係る、ゴーグルとフェイスマスクとを含む装置１０００を概略的に示す分解図である。装置１０００と前述の装置１００とで類似の内容に関しては、上記の説明を参照されたい。ここでは、相違点のみを以下に実質的に説明する。
【００３１】
ゴーグルとフェイスマスクとを含む装置１０００においては、装置１００の締結ボルト４００の代わりに、２つのスナップ篏合部品５００が用いられる。さらに、装置１０００のフェイスマスク３００の接触壁３０３の下側に、２つのフック部３１０がそれぞれ形成されている。一方、２つの突起２２０が、装置１０００のゴーグル２００の接触壁２１０の縁に隣接して形成されている。２つのフック部３１０と２つの突起２２０とは、接触壁３０３と接触壁２１０とが互いに接触しているときに、フック部と突起とがそれぞれ互いに位置合わせされるように、位置決めされている。各スナップ篏合部品５００は、概ねＬ字状の断面形状を有しており、当該Ｌ字形状の一方の腕には、フック部３１０に引っ掛けることができ、ひいては、スナップ篏合部品５００をフック部３１０周りに回動させることができるように、開口部が形成されている。フェイスマスク３００とゴーグル２００とが図２Ｂに示すように回動自在に連結されると、スナップ篏合部品５００を、それらの開口部を介してフック部３１０に引っ掛け、スナップ篏合部品５００のＬ字形状の他方の腕が対応する突起２２０に係合するまでフック部３１０周りに回動させる（図６の矢印３で示すように）ことができる。このようにして、スナップ篏合部品５００が突起２２０とフック部３１０との両方に作用させる接触力により、ゴーグル２００とフェイスマスク３００とを互いに係止させることができる。これにより、ゴーグルとフェイスマスクとを含む装置１０００を組み付けることができる。
【００３２】
所望の場合には、スナップ篏合部品５００を引っ張って、スナップ篏合部品５００を突起２２０から外し、スナップ篏合部品５００をゴーグル２００およびフェイスマスク３００から取り外すことができるようにすることによって、ゴーグル２００とフェイスマスク３００との係止を解除することができる。次いで、回動部３０２を受け具２０５から引き抜くことによって、装置１０００を分解することができる。
【００３３】
本願の文脈において、様々な実施形態を任意に組み合わせることができる。いくつかの特定の実施形態について説明したが、これらの実施形態はあくまで例示のために提示したものに過ぎず、本願の範囲を制限するとみなされるべきではない。本願の趣旨および範囲から逸脱しない限り、種々の置換え、交代、および変形を考案可能である。
【図１】
2021516591.tif 000003
【図２Ａ】
2021516591.tif 000004
【図２Ｂ】
2021516591.tif 000005
【図３】
2021516591.tif 000006
【図４】
2021516591.tif 000007
【図５】
2021516591.tif 000008
【図６】
2021516591.tif 000009
【国際調査報告】
2021516591.tif 000010
2021516591.tif 000011